(57)【要約】【課題】  本発明は、セパレータに案内棒を設けることによって型枠パネルの取付けを容易にする型枠パネル用セパレータを提供することを目的とするものである。【解決手段】  本発明は、２枚の型枠パネルが一定間隔を保持して対向配置させるために、その両側端にねじ部が周設される規定長さ寸法に形成されるセパレータ１において、前記セパレータ１の一端に、該セパレータ１の同軸線上に一体的に連設される案内棒部５を備えた構成とする。【選択図】        図１
2005048419.tif 000002
【特許請求の範囲】
【請求項１】
２枚の型枠パネルを一定間隔を保持して対向配置させるために、その両側端にねじ部が周設される規定長さ寸法に形成されるセパレータにおいて、
前記セパレータの一端に、該セパレータの同軸線上に一体的に連設される案内棒部を備える
ことを特徴とする型枠パネル用セパレータ。
【請求項２】
前記案内棒部を、その基端より折り曲げ、離脱できる如き機構とした
ことを特徴とする請求項１記載の型枠パネル用セパレータ。
【請求項３】
２枚の型枠パネルを一定間隔を保持して対向配置させるために、その両側端にねじ部が周設される規定長さ寸法に形成されるセパレータにおいて、
前記セパレータの一端に、該セパレータの同軸線上に着脱自在とされる案内棒部を備える
ことを特徴とする型枠パネル用セパレータ用案内棒。
【請求項４】
前記案内棒部がセパレータの他方のねじ部に螺着自在とされる接続部を備える
ことを特徴とする請求項３記載の型枠パネル用セパレータ用案内棒。
【発明の詳細な説明】
【技術分野】
【０００１】
本発明は、型枠パネル用セパレータおよび型枠パネル用セパレータ用案内棒に関する。詳しくはコンクリート構築物の施工時における型枠パネル間隔保持用のセパレータに係るものである。
【背景技術】
【０００２】
一般に、鉄筋コンクリート造の建物や堀の壁あるいは梁、柱等のコンクリート構築物を形成する場合、２枚の型枠パネルを対向配置して、これらパネル間にコンクリートを打設することにより施工されているが、この施工の際、２枚の型枠パネル間に多数本のセパレータを架着することにより、これらの型枠パネルの間隔が一定に保持されるようにしている。
【０００３】
この種のセパレータとして例えば図６に示すように、規定長さ寸法に形成された杵状本体１０１の他端部に同軸に設けた接続部材１０２のねじ孔１０３の奥端までセパレータ１０４の先端ねじ部１０５に捩じ込むことにより、所望の継ぎ足し長さが得られる構成とするものである（特許文献１参照。）。
【０００４】
【特許文献１】特開平６−１２９１０４号（要約書、第１図参照。）
【発明の開示】
【発明が解決しようとする課題】
【０００５】
しかしながら型枠の組み立ては図７に示すように、一方の型枠パネル１０６に穿孔される挿通穴１０７にセパレータ１０４の先端ねじ部１０５を差し込み、型枠パネル１０６の外側に突出した先端ねじ部１０５を固定金具１０８によって締着した後に、対向する他方の型枠パネル１０６の挿通穴１０７にセパレータ１０４の他方の先端ねじ部１０５を差し込み、固定金具１０８によって締着して型枠パネルの間隔を一定に保持するものであるが、他方の型枠パネル１０６の挿通穴１０７とセパレータ１０４の先端ねじ部１０５の位置がズレルことが多く、型枠パネル間に腕を入れて各セパレータ１０４の先端ねじ部１０５を型枠パネル１０６の挿通穴１０７に強制的に差し込む作業が行われており、非常に煩雑な作業となる問題がある。
【０００６】
また、型枠パネルの大きさによっては手が届かない個所があり、この場合には棒を差し込んでセパレータ１０４の先端ねじ部１０５の位置修正を行わなければならない問題がある。
【０００７】
本発明は、以上の点に鑑みて創案されたものであって、セパレータに案内棒を設けることによって型枠パネルの取付けを容易にする型枠パネル用セパレータを提供することを目的とするものである。
【課題を解決するための手段】
【０００８】
上記の目的を達成するために、本発明に係る型枠パネル用セパレータは、２枚の型枠パネルを一定間隔を保持して対向配置させるために、その両側端にねじ部が周設される規定長さ寸法に形成されるセパレータにおいて、前記セパレータの一端に、該セパレータの同軸線上に一体的に連設される案内棒部を備える。
【０００９】
ここで、前記セパレータの一方のねじ部に一体的に延設される案内棒部を設けることによって、一方の型枠パネルに取付けられるセパレータに対して、他方の型枠パネルを取付ける場合に、各案内棒部を型枠パネルに穿孔される挿通穴に刺し通すことによって容易にセパレータを型枠パネル間に配置することが可能となる。
【００１０】
また、本発明に係る型枠パネル用セパレータは、２枚の型枠パネルを一定間隔を保持して対向配置させるために、その両側端にねじ部が周設される規定長さ寸法に形成されるセパレータにおいて、前記セパレータの一端に、該セパレータの同軸線上に着脱自在とされる案内棒部を備える。
【００１１】
ここで、前記セパレータの一方のねじ部に着脱自在とした案内棒部を設けることによって、一方の型枠パネルに取付けられるセパレータに対して、他方の型枠パネルを取付ける場合に、各案内棒部を型枠パネルに穿孔される挿通穴に刺し通すことによって容易にセパレータを型枠パネル間に配置することが可能となる。
また、セパレータ設置後には案内棒をセパレータから取り外して他のセパレータに取付けることによって既存のセパレータへの活用が可能となる。
【発明の効果】
【００１２】
本発明ではセパレータの一端に案内棒が連結されることによって対向する型枠パネルの取付けが容易に行うことができ作業効率が向上するものである。
また、案内棒が着脱自在とされる機構にあっては、既存のセパレータに使用することができ、更に使用後には廃棄せずに次の施工におけるセパレータに使用することができ非常に経済的となる。
【発明を実施するための最良の形態】
【００１３】
以下、本発明の実施の形態を図面を参酌しながら説明し、本発明の理解に供する。
図１に、本発明を適用した型枠パネル用セパレータの一例を説明するための断面説明図を示す。
【００１４】
ここで示すセパレータ１は、規定の長さ寸法の鉄棒により形成されている。このセパレータ１の両端部には固定連結部としての取付用ネジ部２が形成されている。また、各取付用ネジ部２の着端に隣接する外周部に折除用周溝３が形成される。そして折除用周溝３間で軸方向移動可能に挿嵌されたパット座金４の開口側をセパレータ１の端部側に向けた状態で挿嵌するものである。
【００１５】
次に前記セパレータ１の一端側に、このセパレータ１と同軸線上、かつその径が取付用ネジ部２と略同等、あるいは小とされる一定長さを有する案内棒部５が一体的に延設されるものである。
【００１６】
この案内棒部５の基端側の外周部には折除用周溝３が形成され、型枠パネル間にセパレータを設置した後に、案内棒部５を折除用周溝３より折り曲げて取り除くことができる構成とするものである。
【００１７】
図２に、本発明を適用した型枠パネル用セパレータ用案内棒の一例を説明するための断面説明図を示す。
ここで、規定の長さ寸法の鉄棒により形成されているセパレータ１の両端には前記本発明を適用した型枠パネル用セパレータで詳述したように、固定連結部としての取付用ネジ部２が形成されている。また、各取付用ネジ部２の着端に隣接する外周部に折除用周溝３が形成される。そして折除用周溝３間で軸方向移動可能に挿嵌されたパット座金４の開口側をセパレータ１の端部側に向けた状態で挿嵌するものである。
【００１８】
そこでセパレータ１の一端側の取付用ネジ部２には、案内棒部５が着脱自在な状態で連結される。この案内棒部５は、その基部に前記取付用ネジ部２と螺合する雌ネジ部７が形成されるものである。従って型枠パネル間にセパレータを設置した後に、案内棒部５を取付用ネジ部２から取り外し、他のセパレータへの取付けが容易に行える構成とするものである。
【００１９】
図３に、本発明を適用した型枠パネル用セパレータ用案内棒の他の例を説明するための断面説明図を示す。
ここで示す案内棒部５は、その基部にセパレータ１の一端側の取付用ネジ部２を挿嵌するための凹部を有する連結部８が形成されるものであり、この連結部８によって案内棒部５の着脱が容易に行える構成とするものである。
【００２０】
なお、セパレータは必ずしも本実施例により構成される必要性な無く、型枠パネルに穿孔された挿通穴にセパレータの取付用ネジ部を挿通して型枠パネルを一定間隔にて保持できるものであればいかなる構成のセパレータであっても構わない。
【００２１】
また、セパレータに案内棒を一体的に連結する場合には必ずしも折除用周溝を形成する必要性は無く型枠パネルを取付けた後に、例えば容易に折り曲げ切断できるプラスチック素材などいかなる構成であっても構わない。
【００２２】
以上の構成よりなる本発明では図４に示すように、対向する一対の型枠パネル９にはセパレータ１の取付用ネジ部２が貫通可能な径を有する挿通穴１０が使用するセパレータの数に応じて同一対向線上に貫設されている。
【００２３】
そこで一方の型枠パネル９の挿通穴１０にセパレータ１の取付用ネジ部２を挿通し、固定金具１１によって型枠パネル９の外側に突出する取付用ネジ部２との螺着によってパット座金４が前記型枠パネル９の内側面に密接してセパレータ１の一端側を型枠パネル９に固定する。
【００２４】
この場合に各セパレータ１の他端側の取付用ネジ部２にそれぞれ案内棒部５を連結する。そして図５に示すように、対向する型枠パネル９の各挿通穴１０に各案内棒部５を挿通して型枠パネル９を押し込むことによって各セパレータ１の取付用ネジ部２が型枠パネル９の外側に突出することとなる。次に案内棒部５を各セパレータ１から取り外し、固定金具１１によって螺着することによってパット座金４が前記型枠パネル９の内側面に密接してセパレータ１の他端側を型枠パネル９に固定することで型枠パネル９を一定間隔で保持することが可能となる。
【００２５】
なお、案内棒がセパレータに一体的に延設される場合には、対向する型枠パネルの各挿通穴に各案内棒を挿通して型枠パネルを押し込む取付用ネジ部が型枠パネルの外側に突出した後に、案内棒を折曲げて取り除くものとする。
【００２６】
このように本発明では案内棒によって対向する型枠パネル間の距離を充分に確保した状態での作業が行えることにより作業者が非常に楽な姿勢で案内棒を型枠パネルの挿通穴に挿通することが可能となる。
【図面の簡単な説明】
【００２７】
【図１】本発明を適用した型枠パネル用セパレータの一例を説明するための断面説明図である。
【図２】本発明を適用した型枠パネル用セパレータ用案内棒の一例を説明するための断面説明図である。
【図３】本発明を適用した型枠パネル用セパレータ用案内棒の他の例を説明するための断面説明図である。
【図４】本発明における型枠パネルにセパレータを取付けた状態を示す説明図である。
【図５】本発明を適用した型枠パネル用セパレータ用案内棒による型枠パネルの取付け状態を示す説明図である。
【図６】従来の型枠パネル用セパレータの一例を示す説明図である。
【図７】従来の型枠パネル用セパレータによる型枠パネルの取付け状態を示す説明図である。
【符号の説明】
【００２８】
１      セパレータ
２      取付用ネジ部
３      折除用周溝
４      パット座金
５      案内棒部
７      雌ネジ部
８      連結部
９      型枠パネル
１０    挿通穴
１１    固定金具
【図１】
2005048419.tif 000003
【図２】
2005048419.tif 000004
【図３】
2005048419.tif 000005
【図４】
2005048419.tif 000006
【図５】
2005048419.tif 000007
【図６】
2005048419.tif 000008
【図７】
2005048419.tif 000009